(57)【要約】【課題】手首などに装着した際に、手首など曲げ動作を許容できるキーホルダーを提供する。【解決手段】キー収納部を有するホルダー体２に、該ホルダー体２に装着ベルトＡを取り付けるための挿通孔３、４を左右方向両側に一対設け、装着ベルトＡを該ホルダー体２に対して斜めに傾けて取り付けるために、これら挿通孔３、４を該ホルダー体２の上下方向に位置をずらして設け、さらに、各挿通孔３、４の形状を、装着ベルトＡの断面形状に合わせて形成した。【選択図】  図１
2009050408.tif 000002
【特許請求の範囲】
【請求項１】
キー収納部を有するホルダー体に、該ホルダー体に装着ベルトを取り付けるための挿通孔を左右方向両側に一対設け、
該装着ベルトを該ホルダー体に対して斜めに傾けて取り付けるために、これら挿通孔を該ホルダー体の上下方向に位置をずらして設けたことを特徴とするキーホルダー。
【請求項２】
前記各挿通孔の形状を、前記装着ベルトの断面形状に合わせて形成したことを特徴とする請求項１に記載のキーホルダー。
【発明の詳細な説明】
【技術分野】
【０００１】
本発明は、手首などの曲げ動作を許容できるキーホルダーに関する。
【背景技術】
【０００２】
アスレチッククラブやスパなどの各種施設では一般に、入館から退館までの間、荷物を一時的に預かるロッカーなどの各種保管設備が備えられている。特にキーを用いて開け閉めする保管設備では、荷物を預けてから引き取るまでの間、キーを身に付けておく必要があり、そのためにキーを手首や足首などに装着できるように、ゴム製や弾力性のあるプラスチック製などの装着用ベルトを有するキーホルダーが採用されている。このようなキーホルダーの一例として、特許文献１のキーホルダーが知られている。
【０００３】
特許文献１のキーホルダーは、鍵をバンドの長手方向に垂直に取り付けることとし、さらに、鍵を収納するキャビティ部を有するものを上方に配置し、キャビティ部を封鎖する蓋機能を有する底板部を下方に配置して、バンドを上方のキャビティ部の縦長辺に取り付けバンドを手首に巻いたときに、キャビティを封鎖した底面部は手首の肌面で押えられる構造を有している。また鍵収納部は、２個のバンド部とは心棒によって、腕時計に慣用されている方法で連結されている。
【特許文献１】実開平６−５７２７５号公報
【発明の開示】
【発明が解決しようとする課題】
【０００４】
ところで、上記従来のキーホルダーでは、鍵収納部とバンド部は一体に連結され、鍵収納部はその長さ方向を腕に沿わせて動かない状態で、バンド部により、手首の肌面に密着して固定される。このため、ウエイトリフティング等に伴う、曲げ角度が大きい手首の動作では、鍵の収納部が、その長さ方向で手の甲と手首間で突っ張り材となり、手首の曲げ動作に対する障害となる。さらには、キーホルダーやバンド部を破損したり、手首や手の甲が傷付けられる場合もある。
【０００５】
本発明は上記従来の課題に鑑みて創案されたものであって、手首などに装着した際に、手首など曲げ動作を許容できるキーホルダーを提供することを目的とする。
【課題を解決するための手段】
【０００６】
本発明にかかるキーホルダーは、キー収納部を有するホルダー体に、該ホルダー体に装着ベルトを取り付けるための挿通孔を左右方向両側に一対設け、該装着ベルトを該ホルダー体に対して斜めに傾けて取り付けるために、これら挿通孔を該ホルダー体の上下方向に位置をずらして設けたことを特徴とする。
【０００７】
前記各挿通孔の形状を、前記装着ベルトの断面形状に合わせて形成したことを特徴とする。
【発明の効果】
【０００８】
本発明にかかるキーホルダーにあっては、手首などに装着した際に、手首などの曲げ動作の障害となることを低減できる。
【発明を実施するための最良の形態】
【０００９】
以下に、本発明にかかるキーホルダーの好適な一実施形態を、添付図面を参照して詳細に説明する。本実施形態にかかるキーホルダー１は基本的には、図１から図６に示すように、キー収納部Ｓを有するホルダー体２に、ホルダー体２に装着ベルトＡを取り付けるための挿通孔３、４を左右方向両側に一対設け、装着ベルトＡをホルダー体２に対して斜めに傾けて取り付けるために、これら挿通孔３、４をホルダー体２の上下方向に位置をずらして設けられている。本実施形態にかかるキーホルダー１は、主にホルダー体２とリベット体２０で構成されている。キーホルダー１にはキー３０が取り付けられている。
【００１０】
本実施形態にかかるホルダー体２は、略オーバル形状に形成され、ホルダー体２の一方の端には、リベット用穴１１、１６が設けられ、キー３０をリベット体２０により回動自在に取り付けれるよう形成されている。ホルダー体２は、プレート状に成形された一対の第一ホルダー片５、第二ホルダー６で形成されている。ホルダー体２の表側は第一ホルダー片５により構成され、ホルダー体２の裏側は第二ホルダー片６と、第一ホルダー片５の裏面５ｅで構成されている。第一、第二ホルダー片５、６は締結部７により、隙間を保持して対向し、平行に接続されている。また、第一、第二ホルダー片５、６の隙間には、隙間を保持するための突起部８が設けられている。これら第一、第二ホルダー片５、６、締結部７、突起部８は合成樹脂により一体成型されてホルダー体２を形成している。
【００１１】
一対の第一、第二ホルダー片５、６の隙間は、キー３０を出し入れ自在に収納するキー収納部Ｓとして形成される。キー収納部Ｓには、リベット体２０により第一、第二ホルダー片５、６に対して回動自在に取り付けられたキー３０が、第一、第二ホルダー片５、６に挟まれて収納される。リベット体２０は、第一、第二ホルダー片５、６の一方端側に設けられたリベット用穴１１、１６とキー３０の頭部分に形成した取付用孔３１に挿通されている。キー収納部Ｓに収納されたキー３０は、その平面外形輪郭がホルダー体２の平面外形輪郭から突出しない位置で収納されている。従って、ホルダー体２はキー３０より長く、キー３０より幅広に形成されている。以下の説明においては、ホルダー体２すなわち第一ホルダー片５と第二ホルダー片６の、リベット体２０の取り付けられる側を「上」側その反対側を「下」側とし、また、「上下方向」はホルダー体２のリベット体２０の取り付け位置から、キー収納部Ｓの形成される方向、すなわち収納されたキー３０の長さ方向とする。
【００１２】
ホルダー体２の平面外形輪郭は鋭角な突起を有さないように形成され、ホルダー体２の表面は角部が面取り加工され全体が滑らかな曲線で形成されている。ホルダー体２の装着者が、キー３０により刺激を受たり、ホルダー体２の突起部や鋭角部により傷付けられることがないようにするためである。ただし、キー３０をキー収納部Ｓから引き出しやすくするために、ホルダー体２の平面外形輪郭の一部に切り欠き部を設けて、キー３０の一部をホルダー体２の平面外形輪郭から突出しないようにして露出させてもよい。
【００１３】
第一ホルダー片５は、ホルダー体２の主要部材であり、その平面外形輪郭がホルダー体２全体の平面外形輪郭を形成し、第一ホルダー片５の表面がホルダー体２の表面を形成する。第一ホルダー片５は、キー３０全体を覆うことができる大きさの略オーバル状の平板片として形成されている。第一ホルダー片５の上下方向の長さは、キー３０を、その長さ方向で収納できる寸法に設定される。第一ホルダー片５の上端部５ａはその反対側の下端部５ｂより幅広に形成されている。図１における第一ホルダー片５の向かって右側の縁５ｃは、上端部５ａから下端部５ｂへ向かうに従って、一度外方（右方向）へ緩やか傾斜で広がって第一ホルダー片５の左右方向最大幅を形成し、その後第一ホルダー片５の上下方向の中央部付近から、第一ホルダー片５の内方（左方向）へ大きく傾斜している。その大きく傾斜した縁部分には突出片９が設けられている。突出片９は傾斜した縁を斜辺とする略三角形状に形成され、その角部は面取り加工されて滑らかに形成されている。突出片９は、第一ホルダー片５の左右方向最大幅内に収まるように形成され、また、第一ホルダー片５の上下方向には突出しないように形成されている。一方、第一ホルダー片５の左側の縁５ｄは、上端部５ａから下端部５ｂへ向かうに従って、右側の縁５ｃ（以下「突出縁５ｃ」という）よりは緩やかに、第一ホルダー片５の内方（右方向）へ傾斜している。以下左側の縁５ｄを「平坦縁５ｄ」という。
【００１４】
第一ホルダー片５の上端部５ａには第一ホルダー片５の厚さ方向に、リベット体２０を挿通する第一リベット用穴１１が形成されている。第一リベット用穴１１の周囲には、当該第一リベット用穴１１よりも大きな外径を有し、リベット体２０の頭部２０ａを収容する第一凹陥部１２が、第一リベット用穴１１と一連に形成されている。
【００１５】
第一ホルダー片５の上下方向中央部付近には、装着ベルトＡを取り付けるための挿通孔３、４が左右方向両側に一対設けられている。一対の挿通孔３、４は、ホルダー体２に装着ベルトＡを取り付ける機能と、装着ベルトＡをホルダー体２に対して斜めに傾けて取り付け、その傾いた状態を維持する機能を有している。挿通孔３、４の形状は装着ベルトＡの断面形状に合わせて形成されている。
【００１６】
本実施形態における挿通孔３（以下「第一挿通孔３」という）は、突出縁５ｃに近接して設けられている。第一挿通孔３は、第一ホルダー片５の上下方向に沿って細長形状で、第一ホルダー片５の厚さ方向に設けられている。第一挿通孔３は、装着ベルトＡを挿通できるよう、装着ベルトＡの断面形状に合わせて形成されている。本実施形態における装着ベルトＡは、可撓性を有する合成樹脂材等で構成されている。装着ベルトＡは、弾性変形可能なシリコンゴム等の素材で形成してもよい。装着ベルトＡは帯状部材であり、その断面は細長の長方形に形成されている。第一挿通孔３は装着ベルトＡの断面形状に合わせた細長形状で、装着ベルトＡを挿通できる大きさで形成されている。具体的には、第一挿通孔３は、装着ベルトＡの長方形断面の長辺寸法より長く、短辺寸法より広い幅寸法の細長形状で形成されている。装着ベルトＡが幅寸法が、手首等への装着時と非装着時で変化する場合には、装着時における装着ベルトＡの幅寸法を考慮して、第一挿通孔３の長さ寸法を決めることが望ましい。第一挿通孔３の側部には、装着ベルトＡを第一挿通孔３に挿通するための第一連通溝１３が設けられている。第一連通溝１３は第一挿通孔３と突出縁５ｃとを連通するスリットとして形成されている。第一連通溝１３は装着ベルトＡの厚さよりやや大きい幅で、第一ホルダー片５の表面５ｓから裏面５ｅに向けて上り勾配で形成されている。
【００１７】
本実施形態における挿通孔４（以下「第二挿通孔４」という）は、平坦縁５ｄに近接して設けられている。第二挿通孔４は第一ホルダー片５の上下方向沿って細長形状で形成されている。第二挿通孔４の形状は第一挿通孔３とほぼ同一の形状をしている。第二挿通孔４は第一挿通孔に対して平行に形成されている。第二挿通孔４は、第一挿通孔３よりも、第一ホルダー片５の上端部５ａ側、すなわち、ホルダー体２の上端部２ａ側にずらして形成されている。したがって、第二挿通孔４の下側の孔端４ｂ（以下「第二下孔端４ｂ」という）は、第一挿通孔３の下側の孔端３ｂ（以下「第一下孔端３ｂ」という）より上側に位置し、第二挿通孔４の上側の孔端４ａ（以下「第二上孔端４ａ」という）は、第一挿通孔３の上側の孔端３ａ（以下「第一上孔端３ａ」という）より上側に位置する。なお、第二挿通孔４を、第一挿通孔３に対して下端部５ｂ（２ｂ）側に位置をずらして下方へ形成しても良い。本実施形態における、ずれ寸法は２ｍｍ〜３ｍｍ程度である。これにより、第一挿通孔３と第二挿通孔４双方に挿通された装着ベルトＡは、第一ホルダー片５（ホルダー体２）に対して確実に傾きをもって取り付けられる。具体的には、装着ベルトＡの傾きを最も形成しにくい状態、すなわち、装着ベルトＡの幅方向上側端面が第一挿通孔３の上孔端３ａに当接しつつ、装着ベルトＡの幅方向下側端面が第二挿通孔４の第二下孔端４ｂに当接した状態でも、装着ベルトＡは第一ホルダー片５に対して傾きを形成することができる。
【００１８】
また、第一、第二挿通孔３、４の左右方向の幅を、装着ベルトＡの厚みに合わせることにより、装着時に手首等に接する装着ベルトＡの面と、装着時に手首等に対向するホルダー体２の面を一致させて、装着ベルトＡをホルダー体２に取り付けることが出来、ホルダー体２に対する装着ベルトＡのねじれを防止できる。さらに、第一、第二挿通孔３、４のの幅を、装着ベルトＡの厚みに合わせることにより、第一、第二挿通孔３、４の幅内で装着ベルトＡが変形することを抑制できる。これらにより、装着ベルトＡの第一ホルダー片５に対する傾きを確実に確保できる。本実施形態における第一、第二挿通孔３、４の形状を、「装着ベルトＡの断面形状に合わせる」とは、装着ベルトＡの第一、第二挿通孔３、４内での変形を防止し、装着時の装着ベルトＡの向きと、装着時のホルダー体２の向きを一致させることができるように、第一、第二挿通孔３、４を形成することを意味する。
【００１９】
第二挿通孔４の側部には、装着ベルトＡを第二挿通孔４に挿通させるための、第二連通溝１４が設けられている。第二連通溝１４は第二挿通孔４と平坦縁５ｄとを連通するスリットとして形成される。第二連通溝１４は、装着ベルトＡの厚さよりやや大きい幅で、第一ホルダー片５の表面から裏側に向けて下がり勾配で形成されている。第一連通溝１３と第二連通溝１４は逆勾配に形成されているため、装着ベルトＡが両挿通孔４、５から同時期に外れて、ホルダー体２から離脱することを防止できる。
【００２０】
第一ホルダー片５の表面には、キー番号や保管設備のバーコードリーダーで読み取られるバーコードなどを付したナンバープレートなどの板片を装着するために、凹部１５が形成される。凹部１５は第一リベット用穴１１の下方に、上下方向に長い長方形で形成されている。
【００２１】
第一ホルダー片５の裏面５ｅには締結部７が設けられている。締結部７は第一ホルダー片３と第二ホルダー片４を、一定の隙間を保持して平行に連結する機能を有している。締結部７は、第一ホルダー片５の裏面５ｅから第二ホルダー片６へ向かって、キー３０の厚さよりやや大きめの寸法で突出形成され、第二ホルダー片６と第一ホルダー片５の間にキー収納部Ｓを形成している。また、締結部７は、キー３０のキー収納部Ｓへの収納動作と緩衝しない位置に形成されている。本実施形態の締結部７は、第一ホルダー片５の平坦縁５ｄに接して第二連通溝１４の下方に、略Ｌ字状に形成されている。締結部７には、第二ホルダー片６が接合される。
【００２２】
本実施形態の第二ホルダー片６は、基本的には第一ホルダー片５と同一の形状の部材であるが、第一ホルダー片５の第一、第二挿通孔３、４より下の部分を切除した形状に形成されている。第二ホルダー片６の下端部６ｂの縁は、第二ホルダー片６の左右方向で直線状に形成されている。第二ホルダー片６の平面外形輪郭は、下端部６ｂを除き、第一ホルダー片５の平面外形輪郭と同一であり、第一ホルダー片５の突出縁５ｃ、平坦縁５ｄに相当する突出縁６ｃ、平坦縁６ｄが形成される。また、第二ホルダー片６の上端部６ａには、第一ホルダー片５の第一リベット用穴１１に相当する第二リベット用穴１６が、同一形状で、同等の位置に形成される。第二リベット用穴１６の周囲には、当該第二リベット用穴１６よりも大きな外径を有し、リベット体２０の脚部２０ｂを収容する第二凹陥部１７と第二リベット用穴１６が一連に形成される。
【００２３】
本実施形態の第二ホルダー片６の裏面６ｅには、突起部８が形成されている。突起部８は、第一ホルダー片５側へ向けて、締結部７の突出寸法とほぼ同じ長さで突出形成されている。突起部８は、キー３０のキー収納部Ｓへの収納動作と緩衝しない位置に形成される。突起部８は、第一ホルダー片５と第二ホルダー片６との隙間を保持することで、第一ホルダー片５と第二ホルダー片６の変形を抑制し、これらと締結部７との接合部が破損することを防止する機能を有している。本実施形態における、突起部８は、第二リベット用穴１６より下側で、第一ホルダー片５の第二連通溝１４より上側となる位置で、平坦縁６ｄに沿って上下方向に長く形成されている。突起部８は、第一ホルダー片５とは接合されず、第一ホルダー片５の裏面５ｅとの間には僅かな隙間が形成されている。このため、装着ベルトＡを、ホルダー体２の上端部２ａ側から、突起部８と第一ホルダー片５の隙間を通して、第一、第二挿通孔３、４の位置へ容易に移動できる。突起部８の上端部５ａ側の端は、キー３０の回動動作と緩衝しないよう斜めに形成されている。
【００２４】
第二ホルダー片６はその裏面６ｅで、締結部７に接続され、第一ホルダー片５と一体化されている。締結部７は、第二ホルダー片６の下端部６ｂと平坦縁６ｄの角部に接続されている。締結部７は、その角部の形状に合わせたＬ字状に形成されているため、下端部６ｂ、平坦縁６ｄに沿って二方向で第二ホルダー片６に接続されて、接合強度が確保されている。締結部７は、収納されたキー３０をキー収納部Ｓ内に保持するためのキーストッパーの機能も有している。
【００２５】
第一ホルダー片５と第二ホルダー片６が、これらの平面外形輪郭、および第一、第二リベット用穴１１、１６を一致させて重ね、隙間を確保して締結部７により接合されることにより、キー収納部Ｓを有するホルダー体２が形成される。ホルダー体２の上端部２ａは、第一ホルダー片５の上端部５ａと第二ホルダー片６の上端部６ａで構成され、ホルダー体２の下端部２ｂは、第一ホルダー片５の下端部５ｂにより構成される。第二ホルダー片６の下端部６ｂからは、キー収納部Ｓに収納されたキー３０の一部分が露出する。キー３０の露出部分を操作することで、キー収納部Ｓへのキー３０の収納や、取り出しが容易になる。
【００２６】
本実施形態に係るキーホルダー１の作用について説明する。まず、キーホルダー１への装着ベルトＡとキー３０の取り付けを説明する。本実施形態における、装着ベルトＡのキーホルダー１への取り付けは、キー３０をキーホルダー１へ取り付ける前に行う。装着ベルトＡは、キーホルダー１を構成するホルダー体２に取り付ける。帯状部材である装着ベルトＡの長さ方向の中間部分を、ホルダー体２の上端部２ａから、第一ホルダー片５と第二ホルダー片６の隙間、すなわちキー収納部Ｓに差し込む。具体的には、装着ベルトＡを第一ホルダー片５の裏面５ｅに対向させて、第一ホルダー片５の上端部５ａ側から、第一リベット用穴１６位置を通過させ、突起部８と裏面５ｅのわずかな隙間を通過させて、第一、第二挿通孔３、４の位置まで移動する。その後、第一ホルダー片５の左右方向外側に位置する装着ベルトＡの部分を捻りながら、その幅方向の一端面を各第一、第二連通溝１３、１４に挿入して装着ベルトＡを第一、第二挿通孔３、４に挿通させる。第一、第二挿通孔３、４に挿通されることにより、装着ベルトＡはホルダー体２に取り付けられる。ホルダー体２に取り付けられた装着ベルトＡの第一、第二挿通孔３、４間に位置する部分は、第一ホルダー片５の裏面５ｅ、すなわちキー収納部Ｓ内に露出し、第一、第二挿通孔３、４に挿通された装着ベルトＡの各部分は、第一ホルダー片５を裏面５ｅから表面５ｓに貫通し、第一、第二挿通孔３、４から第一ホルダー片５の外方側に位置する装着ベルトＡの部分は、第一ホルダー片５の表面５ｓに露出される。
【００２７】
本実施形態の第一、第二挿通孔３、４は、装着ベルトＡの断面形状に合わせて形成され、第二挿通孔４は、第一挿通孔３よりも第一ホルダー片５の上側にずらして形成されている。このため、装着ベルトＡの第一ホルダー片５に対する傾きが発生し、維持されて、ホルダー体２に装着ベルトＡを斜めに傾けて確実に取り付けることが可能となっている。
【００２８】
装着ベルトＡが取り付けられたキーホルダー１へのキー３０の取り付けを説明する。ホルダー体２の第一、第二ホルダー片５、６の隙間に、キー３０を挟み込んで、キー３０の取付孔３１をリベット用穴１１、１６の位置に合わせ、第一ホルダー片５の第一リベット用穴１１から挿入されるリベット体２０に、第二ホルダー片６側から挿入されるリベット体脚部２０ｂを嵌合させて、第一、第二ホルダー片５、６にキー３０を回動自在にとりつける。装着ベルトＡが取り付けられたホルダー体２におけるキー３０は、第一ホルダー片５との間に装着ベルトＡを挟んでキー収納部Ｓに収納される。このため、キー収納部Ｓに収納されたキー３０は、第二ホルダー片６と装着ベルトＡにより押圧され、その収納位置が保持しやすくなっている。
【００２９】
なお、ホルダー体２へのキー３０の取付を、ホルダー体２への装着ベルトＡの取り付けに先行させても良い。その場合、装着ベルトＡのホルダー体２への取付は、装着ベルトＡの一方の端をホルダー体２の左右方向側面から、キー収納部Ｓのリベット体２０と締結部７との間へ通して、装着ベルトＡの中間部を第一挿通孔３と第二挿通孔４の間に位置させる。その後は、先の説明と同様にして装着ベルトＡをホルダー体２に取り付ける。
【００３０】
次に、本実施形態に係るキーホルダー１を手首に装着した場合の作用について説明する。キー３０と装着ベルトＡが取り付けられたホルダー体２を、第二ホルダー片６を手首に密着させ、第一ホルダー片５を上にして、装着ベルトＡにより手首に装着する。通常、ホルダー体２は、その上端部２ａを手の甲に向け、下端部２ｂを肘方向に向けて装着されるが、この逆向きに装着しても良い。装着ベルトＡは腕の長さ方向に対してほぼ直角に巻き付けるため、ホルダー体２は、腕の長さ方向に対して斜めに傾いて装着される。また、傾いた装着状態は、第一、第二挿通孔３、４の形成位置のずれとその形状により維持される。さらに、装着ベルトＡを手首に固定する際、装着ベルトＡにはその長さ方向に引張力が加えられるため、ホルダー体２の第一、第二挿通孔３、４を通過する装着ベルトＡの部分が、第一、第二挿通孔３、４に押圧されて摩擦力が発生する。この摩擦力によっても、第一、第二挿通孔３、４を通過する装着ベルトＡの傾き、すなわちホルダー体２の腕の長さ方向に対する傾きが維持される。
【００３１】
装着ベルトＡによりホルダー体２を手首に装着した状態で、手首を、手の甲を肘に向けるように大きく曲げると、ホルダー体２の上端部２ａは手の甲に当接し、下端部２ｂは手首に当接するため、上端部２ａには、ホルダー体２を手首側に押す力が発生し、下端部２ｂにはホルダー体２を手の甲側に押す力が発生する。双方の力はホルダー体２の中央部、具体的には第一、第二挿通孔３、４間の中央部を中心とする偶力となってホルダー体２を回転させる。この際のホルダー体２の回転は、装着バンドＡと第一、第二挿通孔３、４間の隙間や、装着バンドＡ自体の変形、手首の皮膚の動き等により許容される。この回転によりホルダー体２は、手首の曲げに対して、手の甲と手首の間で突っ張る状態を形成することがなくなり、手首の曲げ動作を容易に許容すると共に、ホルダー体２の破損や手首が傷付くことを防止できる。このように、ホルダー体２を、腕方向に対して傾けて手首に装着することで、ホルダー体２の回転方向を予め設定し、回転のきっかけを与えることができ、ホルダー体２が手首の曲げ動作の初期段階で確実に回転を始動できる。手首の曲げ動作が終了すると、ホルダー体２は、装着バンドＡ等の復元力により元の傾斜状態に戻る。ただし、必ずしも元の状態に戻る必要はなく、ホルダー体２は回転終了時の状態を維持しても良い。
【００３２】
また、本実施形態では、手首に接する第二ホルダー片６は第一ホルダー片５よりも平面の面積が小さく、手首への密着面積が小さく、さらに、ホルダー体２の表面は突起が無く、面取りされて滑らかに仕上げられているため、ホルダー体２と手首との摩擦抵抗が少なくなり、回転動作がスムーズに始動されやすくなっている。
【００３３】
本実施形態に係るキーホルダー１にあっては、キー収納部Ｓを有するホルダー体２に、ホルダー体２に装着ベルトＡを取り付けるための第一、第二挿通孔３、４を左右方向両側に一対設け、装着ベルトＡをホルダー体２に対して斜めに傾けて取り付けるために、これら第一、第二挿通孔３、４をホルダー体２の上下方向に位置をずらして設けたため、手首などに装着した際に、手首などの曲げ動作を許容することが出来る。すなわち、ホルダー体２を腕の長さ方向に対して傾けて取り付けることが可能となり、手首の曲げ動作の初期段階でホルダー体２が回転し手首の曲げ動作を許容できる。
【００３４】
さらに、本実施形態では、第一、第二各挿通孔３、４の形状を、装着ベルトＡの断面形状に合わせて形成するため、第一、第二挿通孔３、４内での装着ベルトＡの変形が無くなり、ホルダー体２を腕の長さ方向に対して、確実に傾けて取り付けることが可能となる。これにより、手首の曲げ動作によるホルダー体２の回転が確実に発生し、手首の曲げ動作を許容できる。また、装着ベルトＡの装着時の向きと、ホルダー体２の装着時の向きを一致させることが出来、ホルダー体２の装着が容易になる。
【００３５】
本実施形態においては、第一挿通孔３は第一ホルダー片５の上下方向に沿って設け、第二挿通孔４は第一挿通孔３に対して平行に形成されているため、第一、第二挿通孔３、４ともに第一ホルダー片５の上下方向、すなわちホルダー体２の上下方向は平行に形成されるが、第一、第二挿通孔３、４を互いに平行に形成しつつ、これらを、ホルダー体２の上下方向に対して傾けて形成しても良い。これにより装着ベルトＡの傾きを確実に得ることができる。さらに、第一、第二挿通孔３、４を平行に形成しなくても良い。これにより、ホルダー体２の形状に応じて第一、第二挿通孔３、４を形成することができる。
【００３６】
本実施形態においては、装着ベルトＡの中間部分を一連に第一、第二挿通孔３、４に挿通したが、装着ベルトＡの長さ方向の両端部をそれぞれ第一挿通孔３、第二挿通孔４に挿通して固定することにより、装着ベルトＡをホルダー体２に取り付けても良い。この場合、ホルダー体２の第一、第二挿通孔３、４間には装着ベルトＡは配置されない。この変形形態においても、前述の実施形態と同様の効果を得ることができる。
【００３７】
本実施形態においては、ホルダー体２を手首の手の甲側に装着する場合を説明したが、手首の掌側に装着したり、足首に装着してもよい。その場合でも、前述の実施形態と同様の効果を得ることができる。
【図面の簡単な説明】
【００３８】
【図１】本発明にかかるキーホルダーの好適な一実施形態を示す正面図である。
【図２】図１のキーホルダーの背面図である。
【図３】図１のキーホルダーにおけるホルダー体の右側面図である。
【図４】図３中、ＸーＸ断面図である。
【図５】図１のキーホルダーにおけるホルダー体を正面側から見た斜視図である。
【図６】図１のキーホルダーにおけるホルダー体を背面側から見た斜視図である。
【符号の説明】
【００３９】
１  キーホルダー
２  ホルダー体
３  挿通孔（第１挿通孔）
４  挿通孔（第２挿通孔）
３０  キー
Ａ  装着ベルト
Ｓ  キー収納部
【図１】
2009050408.tif 000003
【図２】
2009050408.tif 000004
【図３】
2009050408.tif 000005
【図４】
2009050408.tif 000006
【図５】
2009050408.tif 000007
【図６】
2009050408.tif 000008